(57)【特許請求の範囲】
【請求項１】
紙材料層とアルミ箔層とイージーピール層とを、各々接着剤層を介して積層して成るイージーピール蓋材において、紙材料層とアルミ箔層とを、面積率が２０〜８０％で、かつ空隙間隔が０．３〜３．０ｍｍの、周辺部までの水分の逃げ道になる空隙部分が連続した模様形状となるパターン状の接着剤層を設けることにより密閉されていない空間を設けて積層したことを特徴とするイージーピール蓋材。
【発明の詳細な説明】
【０００１】
【発明の属する技術分野】
本発明は、即席ラーメン類や菓子チョコレート類やアイスクリーム類などを収容する、トレー状やカップ状などの容器３０に被せて、容器３０のフランジ部３２に蓋材２０の周辺部２２を熱融着して密封する、蓋材２０の周辺部２２の紙材料層２が剥離したり破れたりする恐れがない、開封性や密封性などに問題がないイージーピール( Easy Peel;皮を剥がし易い )蓋材に関する。
【０００２】
【従来の技術】
従来から、表面に美麗な印刷をした、上質紙や片面アート紙などの７０〜１４０ｇ／ｍ2 の紙材料層と、各種のバリアー性やデットホールド性などが優れた、７〜１５μｍのアルミ箔層と、密封性などが優れている上に、熱融着した後に容易に剥がすことができる、容器３０の構成材料( 発泡スチロールやポリプロピレンや紙＋ポリエチレンなど )に適合した、エチレン−メタアクリル酸共重合体(EMAA)やエチレン−酢酸ビニル共重合体(EVA )やポリエチレン−ポリブテンのブレンド樹脂などの２０〜５０μｍのイージーピール層とを、エステルウレタン系の接着剤や各種の熱融着性樹脂などを介して、通常のドライラミネーション方法や押出しラミネーション方法などで、適宜に積層して成るイージーピール蓋材であって、即席ラーメン類や菓子チョコレート類やアイスクリーム類などを収容する、発泡スチロール製や成形プラスチック製や積層紙材料製などの、例えば図２に示すトレー状やカップ状などの容器３０に被せて、容器３０のフランジ部３２に蓋材２０の周辺部２２を熱融着して密封するイージーピール蓋材が、一般に広く用いられている。
【０００３】
【発明が解決しようとする課題】
ところが従来の、例えば図２に示すトレー状やカップ状などの容器３０に被せて、容器３０のフランジ部３２に蓋材２０の周辺部２２を熱融着して密封するイージーピール蓋材については、蓋材２０のつまみ２４に指を掛けて、やゝ強く引張るだけで、簡単に容器３０を開封することができる、開封が容易なイージーピール蓋材であるものの、
容器３０のフランジ部３２に蓋材２０の周辺部２２を、高温でやゝ強く熱融着する時などに、７０〜１４０ｇ／ｍ2 の紙材料層中の、約１０％の水分が蒸発して急激に膨張するために、蓋材２０の周辺部２２の紙材料層とアルミ箔層との間が、部分的に剥離( バブリングと言う )することが多くて、また蓋材２０の周辺部２２の紙材料層が、層間剥離を起すことが多くて、高温でやゝ強く熱融着した蓋材２０の外観を損なうだけではなくて、蓋材２０のつまみ２４を引張った時などに、蓋材２０の周辺部２２の紙材料層が剥離したり破れたりするなどの、イージーピール蓋材の開封性や密封性などに問題があった。
【０００４】
そこで、本発明の目的は、即席ラーメン類や菓子チョコレート類やアイスクリーム類などを収容する、トレー状やカップ状などの容器３０に被せて、容器３０のフランジ部３２に蓋材２０の周辺部２２を熱融着して密封するイージーピール蓋材であって、紙材料層２とアルミ箔層３とを、パターン状の接着剤層５を介して積層することによって、高温でやゝ強く熱融着する時などに、このパターン状の接着剤層５の、模様形状１０の空隙部分が逃げ道になって、紙材料層２中の蒸発して急激に膨張した水分を、蓋材２０の周辺部２２の外に逃がすことができる、蓋材２０のつまみ２４を引張った時などに、蓋材２０の周辺部２２の紙材料層２が剥離したり破れたりする恐れがない、開封性や密封性などに問題がないイージーピール蓋材を提供することにある。
【０００５】
【課題を解決するための手段】
本発明の請求項１に係るイージーピール蓋材は、図１Ａに示すように、紙材料層２とアルミ箔層３とイージーピール層４とを、接着剤層５と接着剤層６とを介して積層して成るイージーピール蓋材において、紙材料層２とアルミ箔層３とを、図１Ｂ，Ｃ，Ｄなどに示すような、面積率が２０〜８０％で、かつ空隙間隔が０．３〜３．０ｍｍの、周辺部までの水分の逃げ道になる空隙部分が連続した模様形状となるパターン（模様形状）状の接着剤層５を設けることにより密閉されていない空間を設けて積層したことを特徴とするイージーピール蓋材である。
【０００６】
本発明のイージーピール蓋材においては、紙材料層２とアルミ箔層３とイージーピール層４とを、接着剤層５と接着剤層６とを介して積層して成る、前述した従来と同様のイージーピール蓋材において、表面に美麗な印刷をした、上質紙や片面アート紙などの７０〜１４０ｇ／ｍ2 の紙材料層２と、各種のバリアー性やデットホールド性などが優れた、７〜１５μｍのアルミ箔層３とを、エステルウレタン系の接着剤などの、図１Ｂ ,Ｃ ,Ｄなどに示すパターン状の接着剤層５を介して、通常のドライラミネーション方法などで積層したことによって、
図２に示すトレー状やカップ状などの容器３０に被せて、容器３０のフランジ部３２に蓋材２０の周辺部２２を、高温でやゝ強く熱融着する時などに、７０〜１４０ｇ／ｍ2 の紙材料層２中の、約１０％の水分が蒸発して急激に膨張することがあっても、このパターン状の接着剤層５の、模様形状１０の空隙部分が逃げ道になって、紙材料層２中の蒸発して急激に膨張した水分を、蓋材２０の周辺部２２の外に逃がすことができる、蓋材２０のつまみ２４を引張った時などに、蓋材２０の周辺部２２の紙材料層２が剥離したり破れたりする恐れがない、開封性や密封性などに問題がないイージーピール蓋材を提供することができる。
【０００８】
加えて、本願のイージーピール蓋材の発明者らは、図１Ｂ，Ｃ，Ｄなどに示すような、パターン状の接着剤層５の模様形状１０について、鋭意試行錯誤を繰返した結果、模様形状１０の面積率が２０〜８０％であって、かつ隣接する各接着剤層の模様形状１０の空隙間隔が０．３〜３．０ｍｍであることによって、図２に示すトレー状やカップ状などの容器３０に被せて、容器３０のフランジ部３２に蓋材２０の周辺部２２を、高温でやゝ強く熱融着する時などに、このパターン状の接着剤層５の、模様形状１０の空隙部分が逃げ道になって、紙材料層２中の蒸発して急激に膨張した水分を、蓋材２０の周辺部２２の外に、良好に逃がすことができることを知見したものであって、蓋材２０のつまみ２４を引張った時などに、蓋材２０の周辺部２２の紙材料層２が剥離したり破れたりする恐れがない、開封性や密封性などに問題がないイージーピール蓋材の発明に到ったものである。
【０００９】
すなわち、本発明のイージーピール蓋材においては、図１Ｂ ,Ｃ ,Ｄなどに示すパターン状の接着剤層５の、模様形状１０の面積率が２０％以下で、隣接する各接着剤層の空隙間隔が３ .０ｍｍ以上である場合に、紙材料層２中の蒸発して急激に膨張した水分を、蓋材２０の周辺部２２の外に、さらに良好に逃がすことができるものの、紙材料層２とアルミ箔層３との接着力が不足して、蓋材２０の全体の紙材料層２が剥離したり破れたりする恐れがあるものであって、また図１Ｂ ,Ｃ ,Ｄなどに示すパターン状の接着剤層５の、模様形状１０の面積率が８０％以上で、隣接する各接着剤層の空隙間隔が０ .３ｍｍ以下である場合に、紙材料層２とアルミ箔層３との接着力は充分であるものの、紙材料層２中の蒸発して急激に膨張した水分を、蓋材２０の周辺部２２の外に逃がすことが困難であって、蓋材２０の周辺部２２の紙材料層とアルミ箔層との間が、部分的に剥離( バブリング )することが多くて、また蓋材２０の周辺部２２の紙材料層が、層間剥離を起すことが多くて、蓋材２０のつまみ２４を引張った時などに、蓋材２０の周辺部２２の紙材料層２が剥離したり破れたりする恐れがあるものである。
【００１０】
【発明の実施の形態】
図１Ａは、本発明の実施の形態における、イージーピール蓋材の断面説明図であって、図１Ｂ ,Ｃ ,Ｄは、イージーピール蓋材の、パターン状の接着剤層５の平面図である。
また図２Ａ ,Ｂ ,Ｃ ,Ｄは、本発明の実施の形態における、イージーピール蓋材を、容器３０に被せて熱融着した状態を示す斜視図 ,断面図である。
【００１１】
本発明の実施の形態のイージーピール蓋材については、それぞれ前述した従来と同様の、表面に美麗な印刷をした、上質紙や片面アート紙などの７０〜１４０ｇ／ｍ2 の紙材料層２と、各種のバリアー性やデットホールド性などが優れた、７〜１５μｍのアルミ箔層３と、密封性などが優れている上に、熱融着した後に容易に剥がすことができる、エチレン−メタアクリル酸共重合体(EMAA)やエチレン−酢酸ビニル共重合体(EVA )やポリエチレン−ポリブテンのブレンド樹脂などの２０〜５０μｍのイージーピール層４とを、
図１Ａに示すように、紙材料層２とアルミ箔層３とは、エステルウレタン系の接着剤などの、図１Ｂ ,Ｃ ,Ｄなどに示すパターン状の接着剤層５を介して、通常のドライラミネーション方法などで、またアルミ箔層３とイージーピール層４とは、エステルウレタン系の接着剤や各種の熱融着性樹脂などの、( 全ベタ状の )接着剤層６を介して、通常のドライラミネーション方法や押出しラミネーション方法などで、それぞれ適宜に積層することができる。
【００１２】
本発明の実施の形態のイージーピール蓋材の、パターン状の接着剤層５については、それぞれの逃げ道になる空隙部分が連続した、図１Ｂに示す多数の十文字状や図１Ｃに示す多数の丸点状や図１Ｄに示す多数の短線状などの模様形状１０であって、また図示していない他の適宜の模様形状１０であって、面積率が２０〜８０％の、好ましくは面積率が３０〜６０％の模様形状１０の、かつ隣接する各接着剤層の空隙間隔が０ .３〜３ .０ｍｍの、好ましくは空隙間隔が０ .６〜２ .０ｍｍの模様形状１０の、エステルウレタン系の接着剤などのパターン状の接着剤層５を、紙材料層２の内面側( 又はアルミ箔層３の外面側 )に印刷 ,塗布することによって、通常のドライラミネーション方法などで、図１Ａに示すように、紙材料層２とアルミ箔層３とを、パターン状の接着剤層５を介して積層することができる。
【００１３】
続いて、紙材料層２とアルミ箔層３とイージーピール層４とを、パターン状の接着剤層５と( 全ベタ状の )接着剤層６とを介して積層した、図１Ａに示すイージーピール蓋材を、通常の打抜型を用いた打抜工程などで、それぞれ周辺を適宜に切断して除去して、図２Ａに示すつまみ２４を有する角を丸めた長方形状の蓋材２０を作製して、また図２Ｃに示すつまみ２４を有する円形状の蓋材２０を作製して、即席ラーメン類や菓子チョコレート類やアイスクリーム類などを収容する、発泡スチロール製や成形プラスチック製や積層紙材料製などのトレー状やカップ状などの容器３０に被せて、図２Ｂ ,Ｄに示すように、容器３０のフランジ部３２に蓋材２０の周辺部２２を、通常の２２０℃より高温の、約２５０℃でやゝ強く熱融着して密封したところ、
前述したパターン状の接着剤層５の、図１Ｂ ,Ｃ ,Ｄなどに示す模様形状１０の空隙部分が逃げ道になって、紙材料層２中の蒸発して急激に膨張した水分を、蓋材２０の周辺部２２の外に逃がすことができる、蓋材２０のつまみ２４を引張った時などに、蓋材２０の周辺部２２の紙材料層２が剥離したり破れたりする恐れがない、開封性や密封性などに問題がないイージーピール蓋材を得ることができた。
【００１４】
本発明の実施の形態における、図２Ａ ,Ｂ ,Ｃ ,Ｄに示すトレー状やカップ状などの容器３０に被せて、容器３０のフランジ部３２に蓋材２０の周辺部２２を、約２５０℃でやゝ強く熱融着して密封したイージーピール蓋材については、蓋材２０のつまみ２４に指を掛けて、やゝ強く引張るだけで、簡単に容器３０を開封することができる、開封が容易なイージーピール蓋材であって、
蓋材２０の周辺部２２の紙材料層とアルミ箔層との間が部分的に剥離することがないために、また蓋材２０の周辺部２２の紙材料層が層間剥離を起すことがないために、約２５０℃でやゝ強く熱融着した蓋材２０の外観を損なう恐れがない、しかも容器３０のフランジ部３２に蓋材２０の周辺部２２を、通常の２２０℃より高温の、約２５０℃でやゝ強く熱融着することができるために、熱融着する温度に幅があって、安定して熱融着して密封することができるイージーピール蓋材を得ることができた。
【００１５】
【発明の効果】
以上、実施の形態ほかに示すとおり、本発明のイージーピール蓋材においては、即席ラーメン類や菓子チョコレート類やアイスクリーム類などを収容する、トレー状やカップ状などの容器３０に被せて、容器３０のフランジ部３２に蓋材２０の周辺部２２を熱融着して密封するイージーピール蓋材であって、高温でやゝ強く熱融着する時などに、パターン状の接着剤層５の、模様形状１０の空隙部分が逃げ道になって、紙材料層２中の蒸発して急激に膨張した水分を、蓋材２０の周辺部２２の外に逃がすことができる、蓋材２０のつまみ２４を引張った時などに、蓋材２０の周辺部２２の紙材料層２が剥離したり破れたりする恐れがない、開封性や密封性などに問題がないイージーピール蓋材を提供することができる。
【図面の簡単な説明】
【図１】本発明の実施の形態における、図１Ａは、イージーピール蓋材の断面説明図であって、図１Ｂ ,Ｃ ,Ｄは、イージーピール蓋材の、パターン状の接着剤層５の平面図である。
【図２】本発明の実施の形態及び従来における、図２Ａ ,Ｂ ,Ｃ ,Ｄは、イージーピール蓋材を、容器３０に被せて熱融着した状態を示す斜視図 ,断面図である。
【符号の説明】
２    …紙材料層
３    …アルミ箔層
４    …イージーピール層
５    …パターン状の接着剤層
６    …接着剤層
１０  …模様形状
２０  …蓋材
２２  …周辺部
２４  …つまみ
３０  …容器
３２  …フランジ部
【図１】
0004211288.tif 000002
【図２】
0004211288.tif 000003